(57)【要約】【課題】図面管理部門での図面配布にかかる負荷を軽減するための図面配布システムを提供する。【解決手段】この図面配布システムは、図面管理部門１０には図面がリリースされたときに配布先を管理する出図管理システム１３と配布する図面を管理する図面管理システム１１を有しており、製造部門２０および／または関連部門３０には出図管理システム１３および図面管理システム１１とネットワークで接続した複合機２２を設置しておく。出図管理システム１３からリリース通知を配布する際、複合機２２のファクシミリ機能を用いて送信し、複合機２２は、指定された取り寄せ開始時刻にリリース通知に対応する図面データを図面管理システム１１から取り寄せることにより、リリースされた図面をオンデマンドで印刷できるようにした。【選択図】        図２
2004280230.tif 000002
【特許請求の範囲】
【請求項１】
図面管理部門から製造部門および／または関連部門へ図面のリリース通知を配布する図面配布システムにおいて、前記図面管理部門には図面がリリースされたときに配布先を管理する出図管理システムと、配布する図面を管理する図面管理システムとを有し、前記製造部門および／または関連部門には前記出図管理システムおよび前記図面管理システムとネットワークで接続した複合機を設置し、前記出図管理システムからリリース通知を配布する際、該複合機のファクシミリ機能を用いて送信し、前記複合機は、指定された取り寄せ開始時刻に前記リリース通知に対応する図面データを前記図面管理システムから取り寄せるようにしたことを特徴とする図面配布システム。
【請求項２】
請求項１に記載の図面配布システムにおいて、前記図面データを取り寄せた場合、印刷するかまたは記憶装置へ保存するかのいずれかを指定することを特徴とする図面配布システム。
【請求項３】
請求項１または２に記載の図面配布システムにおいて、前記取り寄せを実行するときに、図面データの取り寄せ時間が重複しないようにスケジュールするスケジューラを有することを特徴とする図面配布システム。
【請求項４】
請求項３に記載の図面配布システムにおいて、前記スケジューラは、前記図面データの転送および印刷にかかる推定時間をもとにスケジュールすることを特徴とする図面配布システム。
【請求項５】
図面管理部門から製造部門および／または関連部門へ図面のリリース通知を配布する図面配布システムにおいて、前記図面管理部門には図面がリリースされたときに配布先を管理する出図管理システムと、配布する図面を管理する図面管理システムとを有し、前記製造部門および／または関連部門には前記出図管理システムおよび前記図面管理システムとネットワークで接続した複合機を設置し、前記出図管理システムからリリース通知を配布する際、該複合機のファクシミリ機能を用いてこのリリース通知に対応する図面データも併せて前記図面管理システムから送信し、前記複合機は、指定された印刷開始時刻に前記リリース通知に対応する図面データを印刷するようにしたことを特徴とする図面配布システム。
【請求項６】
請求項５に記載の図面配布システムにおいて、前記印刷を実行する場合、図面データの印刷が重複しないようにスケジュールするスケジューラを有することを特徴とする図面配布システム。
【請求項７】
請求項６に記載の図面配布システムにおいて、前記スケジューラは、前記図面データの印刷にかかる推定時間をもとにスケジュールすることを特徴とする図面配布システム。
【請求項８】
請求項３、４、６または７に記載の図面配布システムにおいて、前記スケジューラは、印刷を重複しないようにスケジュールできないときには、当該複合機とは別の印刷装置で印刷するようにスケジュールすることを特徴とする図面配布システム。
【請求項９】
コンピュータに、請求項１乃至８のいずれかに記載の図面配布システムの機能を実行させるためのプログラム。
【請求項１０】
図面管理部門が有する出図管理システムからリリースされた図面を製造部門および／または関連部門へ配布する際、出図管理システムおよび図面管理システムとネットワークで接続し、前記出図管理システムから配信されるリリース通知をファクシミリ機能で受信し、指定された取り寄せ開始時刻に前記リリース通知に対応する図面データを前記図面管理システムから取り寄せるようにしたことを特徴とする複合機。
【請求項１１】
図面管理部門が有する出図管理システムからリリースされた図面を製造部門および／または関連部門へ配布する際、出図管理システムおよび図面管理システムとネットワークで接続し、前記出図管理システムから配信されるリリース通知に対応する前記図面管理システムの図面データも併せてファクシミリ機能で受信し、指定された印刷開始時刻に前記リリース通知に対応する図面データを印刷するようにしたことを特徴とする複合機。
【請求項１２】
コンピュータに、請求項１０または１１に記載の複合機の機能を実行させるためのプログラム。
【請求項１３】
請求項９または１２に記載のプログラムを記録したコンピュータ読み取り可能な記録媒体。
【発明の詳細な説明】
【０００１】
【発明の属する技術分野】
本発明は、図面配布システムおよび複合機並びにプログラムおよび記録媒体に関し、特に、図面管理部門での図面配布にかかる負荷を軽減するための技術に関する。
【０００２】
【従来の技術】
近年では、製品設計はＣＡＤシステムで行い、図面の作成が完了すると、第三者による図面内容の調査を受け、さらに上位者の承認を受けて社内公式の書類として認定された後、設計者の手元から離れて図面管理部門の図面管理システムで管理されることになる。さらに、図面が配布される新規出図連絡帳票および設計変更連絡帳票等も元の図面に関連させて図面管理システムに登録保管される。
【０００３】
この図面は、製品を製作する際に使用されるだけでなく、他の関連部門（例えば、検査部門、物流部門や品質部門等）でも頻繁に使用されるため、新規の設計や設計変更など図面を関連部門へ配布しなければならない。
このために、図面管理部門では、関連部門への出図を行うための出図管理システムを稼動させている。
出図管理システムでは、製品に対する関連部門とそこで必要とする図面および配布方法（印刷物による配送、配布先のプリンタや電子メール等の区別、配布予定日時等）とを管理して、自動的に関連部門へ図面等を配布するようにしている。
【０００４】
【発明が解決しようとする課題】
しかしながら、印刷された図面を郵送で行う場合には、郵送にかかる人的手間がかかるという問題がある。
また、配布先のプリンタへ図面等を直接出す場合には、配布先のプリンタが故障したときやもう一度図面の全部または一部分を出力したいときには、再度、図面管理部門へ出図依頼を出さなければならないという問題点がある。
【０００５】
（１）リリース通知として、図面番号を電子メールで通知した場合には、通知を受け取った関連部門が図面管理システムにアクセスして、必要な図面を取り寄せて印刷しなければならない。
この場合には、電子メールを受信するようなインフラが存在しなければならないが、製造部門ではこのようなインフラを現場には持たず、そのようなインフラの完備した場所へ出向かなければ電子メールの通知を知ることも、また、図面管理システムへアクセスして図面を取り出すこともできない。
【０００６】
（２）電子メールに図面データが添付されてきた場合には、添付された図面を印刷できるインフラを備えていれば、上述したような、繰り返し印刷やオンデマンドの印刷が行える。
しかし、製造現場ではそのようなインフラを備えた場所は少ない。
【０００７】
本発明は、上述した実情を考慮してなされたもので、上述のようなインフラを備えていなくてもオンデマンド印刷が可能となる図面配布システムおよび複合機並びに図面配布システムまたは複合機の機能を実行するためのプログラムおよびそのプログラムを記録したコンピュータ読み取り可能な記録媒体を提供することを目的とする。
【０００８】
【課題を解決するための手段】
上記課題を解決するために、本発明の請求項１は、図面管理部門から製造部門および／または関連部門へ図面のリリース通知を配布する図面配布システムにおいて、前記図面管理部門には図面がリリースされたときに配布先を管理する出図管理システムと、配布する図面を管理する図面管理システムとを有し、前記製造部門および／または関連部門には前記出図管理システムおよび前記図面管理システムとネットワークで接続した複合機を設置し、前記出図管理システムからリリース通知を配布する際、該複合機のファクシミリ機能を用いて送信し、前記複合機は、指定された取り寄せ開始時刻に前記リリース通知に対応する図面データを前記図面管理システムから取り寄せるようにしたことを特徴とする。
【０００９】
また、本発明の請求項２は、請求項１に記載の図面配布システムにおいて、前記図面データを取り寄せた場合、印刷するかまたは記憶装置へ保存するかのいずれかを指定することを特徴とする。
また、本発明の請求項３は、請求項１または２に記載の図面配布システムにおいて、前記取り寄せを実行するときに、図面データの取り寄せ時間が重複しないようにスケジュールするスケジューラを有することを特徴とする。
また、本発明の請求項４は、請求項３に記載の図面配布システムにおいて、前記スケジューラは、前記図面データの転送および印刷にかかる推定時間をもとにスケジュールすることを特徴とする。
【００１０】
また、本発明の請求項５は、図面管理部門から製造部門および／または関連部門へ図面のリリース通知を配布する図面配布システムにおいて、前記図面管理部門には図面がリリースされたときに配布先を管理する出図管理システムと、配布する図面を管理する図面管理システムとを有し、前記製造部門および／または関連部門には前記出図管理システムおよび前記図面管理システムとネットワークで接続した複合機を設置し、前記出図管理システムからリリース通知を配布する際、該複合機のファクシミリ機能を用いてこのリリース通知に対応する図面データも前記図面管理システムから併せて送信し、前記複合機は、指定された印刷開始時刻に前記リリース通知に対応する図面データを印刷するようにしたことを特徴とする。
【００１１】
また、本発明の請求項６は、請求項５に記載の図面配布システムにおいて、前記印刷を実行する場合、図面データの印刷が重複しないようにスケジュールするスケジューラを有することを特徴とする。
また、本発明の請求項７は、請求項６に記載の図面配布システムにおいて、前記スケジューラは、前記図面データの印刷にかかる推定時間をもとにスケジュールすることを特徴とする。
また、本発明の請求項８は、請求項３、４、６または７に記載の図面配布システムにおいて、前記スケジューラは、印刷を重複しないようにスケジュールできないときには、当該複合機とは別の印刷装置で印刷するようにスケジュールすることを特徴とする。
また、本発明の請求項９は、コンピュータに、請求項１乃至８のいずれかに記載の図面配布システムの機能を実行させるためのプログラムである。
【００１２】
また、本発明の請求項１０は、図面管理部門が有する出図管理システムからリリースされた図面を製造部門および／または関連部門へ配布する際、出図管理システムおよび図面管理システムとネットワークで接続し、前記出図管理システムから配信されるリリース通知をファクシミリ機能で受信し、指定された取り寄せ開始時刻に前記リリース通知に対応する図面データを前記図面管理システムから取り寄せるようにしたことを特徴とする。
また、本発明の請求項１１は、図面管理部門が有する出図管理システムからリリースされた図面を製造部門および／または関連部門へ配布する際、出図管理システムおよび図面管理システムとネットワークで接続し、前記出図管理システムから配信されるリリース通知に対応する前記図面管理システムの図面データも併せてファクシミリ機能で受信し、指定された印刷開始時刻に前記リリース通知に対応する図面データを印刷するようにしたことを特徴とする。
【００１３】
また、本発明の請求項１２は、コンピュータに、請求項１０または１１に記載の複合機の機能を実行させるためのプログラムである。
また、本発明の請求項１３は、請求項９または１２に記載のプログラムを記録したコンピュータ読み取り可能な記録媒体である。
【００１４】
以上の構成により、製造部門や関連部門でのオンデマンド印刷が可能となり生産性向上に繋がる。
また、図面の出力開始時間を指定できるので、複合機およびネットワークの負荷が少ないときに印刷することができる。
【００１５】
【発明の実施の形態】
以下、図面を参照して、本発明に係る図面配布システムの好適な実施形態を説明する。
図１は、設計部門で作成される製品の設計図面が関連部門へ配布されるまでを説明するためのブロック図である。
同図において、設計部門４０は、製品設計をＣＡＤシステムで行い、設計中のＣＡＤ図面や、評価および検査部門で行われる結果をまとめて登録したＣＡＤ図面データベースを保持している。
【００１６】
図面の作成が完了すると、さらに上位者の承認を受けて社内公式の書類として認定される。承認が済むと、図面管理部門１０では、承認された図面等を図面管理システム１１に登録して管理する。
この図面は製品を生産する製造部門２０だけでなく、他の関連部門３０（例えば、物流部門や品質部門等）でも頻繁に使用されるため、新規の設計や設計変更など図面を関連する部門へ配布するように、出図管理システム１３によって図面等の配布先を管理する。
【００１７】
これらの設計部門４０、図面管理部門１０、製造部門２０および関連部門３０とは、例えば、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、インターネットなどの有線または無線で実現されるネットワークで接続しており、それぞれの承認や登録の依頼および図面のリリース通知等はこのネットワークを介したワークフローで実現される。
【００１８】
図２は、本実施形態に係る図面配布システムの全体構成を示すブロック図である。同図において、本実施形態は、製品の図面等を保持する図面データベース（ＤＢ）１２の維持管理を行う図面管理システム１１と、配布先データベース（ＤＢ）１４により図面を配布先へ配布する出図管理システム１３とからなる図面管理部門１０と、図面の新規リリースや設計変更通知等を受信し、図面を出力させるコンピュータシステム２１または複合機（ＭＦＰ）２２とからなる製造部門２０または関連部門３０とからなっている。
この複合機２２は、少なくともファクシミリ機能とプリンタ機能とを持っており、ネットワークを介して図面管理部門１０と接続しているものとする。
【００１９】
配布先ＤＢ１４には、製品ごとに関連部門（部門名、担当者、担当者の電話アドレスやメールアドレス、複合機２２のＩＰアドレス等）、必要とする図面番号、配布方法および配布の授受日時等を記憶している。この配布方法としては、
（１）印刷物によって配送するのか、
（２）複合機へ配布するのか、
（３）電子メールにより配布するのか
等の区別およびその図面をいつ配布する予定かを示す日時（例えば、即時、夜間、特定の時間等）も指定する。
【００２０】
設計部門４０からリリース通知を受けた図面管理部門１０の担当者がリリースに関連する製品または部品に対してリリース通知の指示を出図管理システム１３に出すと、出図管理システム１３は配布先ＤＢ１４を参照して指定された製品または部品に対応した図面のリリース通知を自動的に製造部門２０および関連部門３０へ配布する。
【００２１】
例えば、製造部門２０または関連部門３０の担当者のメールアドレスへ電子メールでリリース通知を出す場合には、その部門が必要としている図面に対する図面番号（図面ＤＢ１２内に格納されている図面の図面番号）を通知する。
通知を受け取った担当者は、コンピュータシステム２１から図面管理システム１１にアクセスして、必要な図面を図面ＤＢ１２から取り寄せて、コンピュータシステム２１に接続されたプリンタや複合機で印刷する。
【００２２】
また、複合機２２へリリース通知を出す場合には、出図管理システム１３は複合機２２のファクシミリ機能を使って配布予定日時にしたがって送信する。
このとき、リリース通知は、指定された製品または部品の配下にある構成も含めたすべての構成と、構成ごとにその配下にあるすべての図面枚数を付加したものである。
【００２３】
通知を受信した複合機２２は、複合機２２に設置された着信通知装置によってリリース通知が着信したことを担当者へ知らせる。
着信通知装置としては、次のいずれかあるいはそれらを組み合わせた装置とする。
（１）ランプのような表示灯を点灯させたり、点滅させる。
（２）音声によって通知する。
（３）ＢＧＭ（ｂａｃｋｇｒｏｕｎｄ  ｍｕｓｉｃ）を鳴らすことによって通知する。
（４）ベルを鳴動させて通知する。
（５）複合機２２から担当者の電話装置や携帯電話へ電話をかける。
（６）複合機２２から担当者の携帯電話へ電子メールを送る。
【００２４】
リリース通知が着信すると、複合機２２の記憶装置には、製品または部品の構成と図面枚数を受信した日付順に受信記録として記録する。
通知を受けた担当者は、複合機２２のタッチパネルで記憶装置に記録されている受信記録を表示させる。
【００２５】
例えば、図３（Ａ）に示すような受信日付ごとの受信記録が表示される。
この中から「１１月１２日出図分」をタッチして選択すると、図３（Ｂ）のようにその日付に受信した出図記録が表示される。この個々の記録には、製品や部品の構成の名称とこれを構成する図面の枚数とを含めて表示される。
この中から出力したい名称をタッチして選択すると、図４に示すような図面をいつから出力させたいかを選択するメニューが表示される。
【００２６】
「今すぐ出図」は、現在印刷している図面が完了次第、続いて印刷を開始するときに用いる。
「１時間後に出図」、「３時間後に出図」、「６時間後に出図」、「１２時間後に出図」は、印刷開始のスタートボタンを押してからそれぞれの時間後に出力を開始する場合に用いる。
また、「ＨＤＤ内に保存」は、複合機２２に備えられた記憶装置へ図面データを取り込むときに用いる。この場合には、いつ頃から出力するかを改めて図４のメニューで指定する。
【００２７】
いずれかのメニューをタッチして選択後、印刷開始のスタートボタンを押す。
以下、１回の印刷指定に対して、指定から印刷終了までを１つのジョブといい、ジョブスケジューラがジョブのスケジュールを管理するものとする。また、以下の説明では、図面ＤＢ１２から図面データを転送して一時的に複合機２２の記憶装置へ格納するタスクと記憶装置から印刷するタスクとは並行して実行できるものとして説明する。
【００２８】
複合機２２のジョブスケジューラは、次のような手順で各ジョブの転送開始時刻と印刷開始時刻をスケジュールする。
（１）指定された図面のデータ量から図面ＤＢ１２から取り寄せるのにかかる時間（Ｅｔ）とそれを印刷するのにかかる時間（Ｅｐ）を推定する。
【００２９】
（２）メニュー選択に応じて、ジョブに対する図面データの転送開始時刻（Ｔｓｔ）と転送が完了した図面データの印刷開始時刻（Ｔｓｐ）とを次のように計算する。以下の式で、Ｔｎを「スタートボタンを押した時刻」、ｔを「印刷開始を指定した時間、例えば、「１時間内に出図」であれば、ｔ＝１」とする。
【００３０】
（Ａ）「今すぐ出図」を選択した場合：
転送開始時刻Ｔｓｔ＝Ｔｎ、
印刷開始時刻Ｔｓｐ＝Ｔｎ＋Ｅｔ。
（Ｂ）「１時間後に出図」、「３時間後に出図」、「６時間後に出図」、「１２時間後に出図」のいずれかを選択した場合：
転送開始時間Ｔｓｔ＝Ｔｎ＋ｔ、
印刷開始時間Ｔｓｐ＝Ｔｎ＋ｔ＋Ｅｔ。
（Ｃ）「ＨＤＤ内に保存」を選択した場合：
転送開始時間Ｔｓｔ＝（所定の時刻）、
印刷開始時刻Ｔｓｐ＝（所定の時刻）＋Ｅｔ。
ただし、印刷時間Ｅｐ＝０と考え、「所定の時刻」は、ネットワークの負荷が軽い時間帯、例えば、予め計測して決めた夜間の時刻とする。
【００３１】
（３）上記の各開始時間から各ジョブがタイムシリアルになるように再スケジューリングして、各ジョブの開始時刻を決定する。
先ず、各ジョブを印刷開始時間Ｔｓｐ順に並べ替え、最終ジョブの印刷開始時刻を固定し、その前にあるジョブの印刷中と重ならないように前のジョブの印刷開始時刻を前にずらす。これを先に並べたジョブまで繰り返して、各ジョブの印刷が重ならないようにする。
この調整で先頭のジョブの転送開始時刻が今の時刻より前にきてしまった場合には、先頭のジョブの転送開始時刻を現在の時刻へ設定して、以下のジョブの転送開始時刻も順に後ろへずらす。
【００３２】
次に、上記で並べた各ジョブに対して、転送開始時刻（Ｔｓｔ）を印刷開始時刻（Ｔｓｐ）より転送時間（Ｅｔ）分前に再設定する。
各ジョブの再設定された転送開始時間Ｔｓｔ順に並べ替え、最終ジョブの転送開始時刻を固定し、その前にあるジョブの転送中と重ならないように前のジョブの転送開始時刻を前にずらす。これを先に並べたジョブまで繰り返して、各ジョブの転送が重ならないようにする。
この調整で先頭のジョブの転送開始時刻が今の時刻より前にきてしまった場合には、先頭のジョブの転送開始時刻を現在の時刻へ設定して、以下のジョブの転送開始時刻および印刷開始時刻も合わせて順に後ろへずらす。
【００３３】
上記のジョブスケジューリングでは、転送が完了しないと印刷を行わないようにしていたが、所定量（例えば、１図分のデータ量）を転送した後、印刷を開始するようにスケジューリングしてもよい。
また、１台の複合機で転送から印刷まで行わず、ネットワークで接続された隣接する印刷装置（プリンタや複合機等）で印刷させるようにしてもよい。
【００３４】
上記の「ＨＤＤに保存」で記憶装置に保存された図面を印刷するときにも、図４に示したメニューを表示し、その中から選択された時間内に印刷を開始する。
このときのジョブスケジュールは、転送時間Ｅｔ＝０とすれば同様に考えることができる。
【００３５】
また、上述の実施形態のリリース通知では、指定された製品または部品の配下の構成を複合機２２へ送信していたが、構成だけではなくその構成に対応する図面データも併せてリリース通知として送信するようにしてもよい。
この場合のジョブスケジューラは、転送時間Ｅｔ＝０とすれば同様に考えることができる。
【００３６】
一般に、製造部門や関連部門の現場には、コンピュータシステムは設置されていなくても複合機は設置されている。この複合機を上述したように構成することによって、複合機の記憶装置には受信したリリース通知が残され、必要なときにこのリリース通知から図面データを取り寄せて必要な量だけ繰り返して印刷することができる（即ち、オンデマンド印刷が可能となる）。
また、図面の出力開始時間を指定できるので、複合機およびネットワークの負荷が少ないときに印刷することができる。
【００３７】
本発明は、上述した実施形態の図面配布システムの機能をプログラム化し、予めＣＤ−ＲＯＭ等の記録媒体に書き込んでおき、コンピュータに搭載したＣＤ−ＲＯＭドライブのような媒体駆動装置にこのＣＤ−ＲＯＭ等を装着して、これらのプログラムをコンピュータのメモリあるいは記憶装置に格納し、それを実行することによって、本発明の目的が達成されることは言うまでもない。
【００３８】
また、上述した実施形態の複合機の場合にも、複合機の機能をプログラム化し、予めＲＯＭの記録媒体に書き込んでおき、複合機にこのＲＯＭを装着して、これらのプログラムをマイクロプロセッサで実行することによって、本発明の目的が達成されることは言うまでもない。
いずれの場合にも、記録媒体から読み出されたプログラム自体が上述した実施形態の機能を実現することになり、そのプログラムおよびそのプログラムを記録した記録媒体も本発明を構成することになる。
【００３９】
尚、このような機能を実現するプログラムは、半導体媒体（例えば、ＲＯＭ、不揮発性メモリ等）、光媒体（例えば、ＤＶＤ、ＭＯ、ＭＤ、ＣＤ等）、磁気媒体（例えば、磁気テープ、フレキシブルディスク等）等のいずれの形態の記録媒体で提供されてもよい。
あるいは、ネットワーク等の通信網を介して記憶装置に格納されたプログラムをサーバコンピュータから直接供給を受けるようにしてもよい。この場合、このサーバコンピュータの記憶装置も本発明の記録媒体に含まれる。
【００４０】
また、ロードしたプログラムを実行することにより上述した実施形態の機能が実現されるだけでなく、そのプログラムの指示に基づき、オペレーティングシステムあるいは他のアプリケーションプログラム等と共同して処理することによって上述した実施形態の機能が実現される場合も含まれる。
【００４１】
尚、本発明は上述した実施形態に限定されず、本発明の要旨を逸脱しない範囲内で各種の変形、修正が可能である。
【００４２】
【発明の効果】
以上説明したように本発明によれば、製造部門や関連部門でのオンデマンド印刷が可能となり生産性向上に繋がる。
また、図面の出力開始時間を指定できるので、複合機およびネットワークの負荷が少ないときに印刷することができる。
【図面の簡単な説明】
【図１】図面の作成から配布までを説明するための図である。
【図２】本発明の図面配布システムの全体構成を示すブロック図である。
【図３】出図操作のときのタッチパネルの表示例である。
【図４】図面の出力時刻を指定するメニュー例である。
【符号の説明】
１０…図面管理部門、１１…図面管理システム、１２…図面ＤＢ、１３…出図管理システム、１４…配布先ＤＢ、２０…製造部門、２１…コンピュータシステム、２２…複合機、３０…関連部門、４０…設計部門。
【図１】
2004280230.tif 000003
【図２】
2004280230.tif 000004
【図３】
2004280230.tif 000005
【図４】
2004280230.tif 000006